(57)【要約】【課題】  本発明は、外力の補助なしで各ピース片の嵌め込み状態を保持することができる装飾パネルの提供を課題とする。【解決手段】発泡合成樹脂材料からなる基本シート材１１と、基本シート材１１の表面に展着される薄肉板状の合成樹脂材料からなる表面シート材１２と、前記基本シート材１１の裏面に展着される薄肉板状の合成樹脂材料からなる裏面シート材１３とから構成された装飾パネル１である。装飾パネル１が囲繞枠２と囲繞枠２内における複数のピース片３とに分断され、各ピース片３が囲繞枠２内において平面方向に互いに嵌脱自在に嵌め込まれて組み立てられる。【選択図】      図１
2010228427.tif 000002
【特許請求の範囲】
【請求項１】
発泡合成樹脂材料からなる基本シート材と、該基本シート材の表面に展着される薄肉板状の合成樹脂材料からなる表面シート材と、前記基本シート材の裏面に展着される薄肉板状の合成樹脂材料からなる裏面シート材とから構成された装飾パネルにおいて、囲繞枠と該囲繞枠内における複数のピース片とに分断され、各ピース片が囲繞枠内において平面方向に互いに嵌脱自在に嵌め込まれて組み立てられることを特徴とする装飾パネル。
【請求項２】
前記表面シート材および裏面シート材の両面に装飾が印刷されている請求項１に記載の装飾パネル。
【請求項３】
前記基本シート材は発泡ポリスチレンからなる請求項１または請求項２に記載の装飾パネル。
【請求項４】
前記表面シート材および裏面シート材はポリプロピレンからなる請求項１から請求項３のいずれかに記載の装飾パネル。
【請求項５】
請求項１から請求項４のいずれかに記載の装飾パネルを立てるためのスタンド脚部が設けられ、該スタンド脚部は、机面等に設置される甲板部と、該甲板部から立設される差込部とからなり、該差込部に装飾パネルの囲繞枠の下枠部分が差し込まれることを特徴とする置物。
【発明の詳細な説明】
【技術分野】
【０００１】
本発明は、室内の壁掛けや置物などの室内アートに適用される装飾パネルに関するものである。
【背景技術】
【０００２】
従来、室内の壁掛けや置物などの室内アートに適用される装飾パネルとしてジグソーパズルが知られている（特許文献１参照）。このジグソーパズルは、一般に複数のピース片を基板上に載置しながら、ピース片同士を互いに組み合わせながら嵌め込んでいくものである。
【０００３】
そして、このジグソーパズルを壁掛けや置物として略垂直状態に立て掛ける場合、ピース片を基板上に載置しただけの状態であると、パズル片が基板上から抜け落ちてしまうという難点があった。
【０００４】
このため、ピース片の抜け落ちを防止するため、完成したジグソーパズルの表面から糊剤を塗布するなどして基板上に固定したり、あるいは透明のアクリル板などで表面を押さえつけた状態でフレームに収容していた。
【先行技術文献】
【特許文献】
【０００５】
【特許文献１】特開２００６−２１７９９９号公報
【発明の概要】
【発明が解決しようとする課題】
【０００６】
しかしながら、これでは糊材やフレームを別途用意しなければならない上に、糊材を塗布したりフレームに収容したりするのは非常に面倒なものであった。特に糊材で塗布する場合にあってはジグソーパズルを再び使用することができないという問題があった。
【０００７】
しかも、従来のジグソーパズルでは、ピース片を基板上に載置するため、ジグソーパズルのピース片の片面にしか装飾を印刷されておらず、一種類の装飾しか閲覧することができないという問題もあった。
【０００８】
本発明は、上述の問題に鑑みてなされたものであって、第１に、外力の補助なしで各ピース片の嵌め込み状態を保持することができ、第２に、表面と裏面の２種類の装飾の閲覧に供することができる装飾パネルの提供を課題とする。
【課題を解決するための手段】
【０００９】
本発明は、発泡合成樹脂材料からなる基本シート材と、該基本シート材の表面に展着される薄肉板状の合成樹脂材料からなる表面シート材と、前記基本シート材の裏面に展着される薄肉板状の合成樹脂材料からなる裏面シート材とから構成された装飾パネルにおいて、囲繞枠と該囲繞枠内における複数のピース片とに分断され、各ピース片が囲繞枠内において平面方向に互いに嵌脱自在に嵌め込まれて組み立てられることを特徴とする。これによれば各ピース片が囲繞枠内において平面方向に互いに嵌脱自在に嵌め込まれて組み立てられると、囲繞枠および各ピース片同士の基本シート材の間において発泡合成樹脂材料による弾性力と摩擦力が生じるため、外力の補助なしで各ピース片の嵌め込み状態を保持することができる。
【００１０】
また、前記表面シート材および裏面シート材の両面に装飾が印刷されているのが好ましい。これによれば装飾パネルの表裏面に装飾が印刷されることになるため、適宜、装飾パネルを表裏に反転することにより閲覧に供する装飾を変更することができる。
【００１１】
また、前記基本シート材は発泡ポリスチレンからなるのが好ましい。これによれば製造過程において囲繞枠とピース片に分断した場合に、反りや撓みを軽減することができるとともに、基本シート材と表面シート材および裏面シート材との間に塗布された接着剤や糊剤などがはみ出ることを防止できる。しかも、発泡ポリスチレンは軽量であるため、運搬や取り扱いが容易となり、展示等の作業や高い所への取り付けも簡単に行うことができる。
【００１２】
また、前記表面シート材および裏面シート材はポリプロピレンからなるのが好ましい。これによれば製造過程において囲繞枠とピース片に分断した場合に、亀裂やしわが生じることを防止できる。
【００１３】
また、本発明に係る置物は、前記装飾パネルを立てるためのスタンド脚部が設けられ、
【００１４】
該スタンド脚部は、机面等に設置される甲板部と、該甲板部から立設される差込部とからなり、該差込部に装飾パネルの囲繞枠の下枠部分が差し込まれることを特徴とする。これによれば装飾パネルをスタンド脚部に差し込むことにより立設することができるとともに、スタンド脚部から引き抜くだけ簡単に取り外すことができる。このため装飾パネルを組み立てて置物として飾ったあと、装飾パネルを分解して再び組み立てるという一連の作業が容易となる。 さらに装飾パネルの形状や装飾を何らかの動物等にした場合、スタンド脚部を当該動物等の脚部のように擬似的に見せることができ装飾効果が増大する。
【発明の効果】
【００１５】
本発明によれば、各ピース片が囲繞枠内において平面方向に互いに嵌脱自在に嵌め込まれて組み立てられると、囲繞枠および各ピース片同士の基本シート材の間において発泡合成樹脂材料による弾性力と摩擦力が生じるため、外力の補助なしで各ピース片の嵌め込み状態を保持することができる。
【００１６】
このため装飾パネルを略垂直状態に立設した場合であってもピース片が抜け落ちることが防止でき、壁掛けや置物などの室内アートに容易に適用することが可能となる。
【００１７】
また、囲繞枠から各ピース片を前方又は後方に突出させるようにして押し出せば、装飾パネルを簡単に分解することができ、装飾パネルを何度でも組み立て分解することができる。
【００１８】
さらに、囲繞枠および各ピース片の表裏側には薄肉板状の合成樹脂材料からなる表面シート材および裏面シート材が設けられているため、表裏面がフラットな状態となり外観の意匠性が向上するとともに、装飾の印刷を行い易くなる。
【図面の簡単な説明】
【００１９】
【図１】本発明の一実施形態に係る装飾パネルの正面図である。
【図２】装飾パネルの背面図である。
【図３】装飾パネルの拡大断面図である。
【図４】装飾パネルの置物の斜視図である。
【図５】置物のスタンド脚部付近の拡大側面図である。
【発明を実施するための形態】
【００２０】
次に本発明の一実施形態に係る装飾パネル（１）について図面を参照しつつ説明する。
【００２１】
この装飾パネル（１）は、長さ３００ｍｍ、幅２１０ｍｍ、厚さ３ｍｍ程の矩形状に形成され、内部に平板状の発泡合成樹脂材料からなる基本シート材（１１）を備える。
【００２２】
この基本シート材（１１）における発泡合成樹脂材料は一般に加工もし易く、また軽量であるというメリットを有するほか、弾性力や摩擦力にも優れている材料である。この発泡合成樹脂材料の種類については特に限定されるものではないが、特に発泡ポリスチレンが好ましい。
【００２３】
これによれば製造過程において装飾パネル（１）を囲繞枠（２）とピース片（３）に分断した場合に、反りや撓みを軽減することができるとともに、基本シート材（１１）と表面シート材（１２）および裏面シート材（１３）との間に塗布された接着剤や糊剤などがはみ出ることを防止できる。しかも、発泡ポリスチレンは軽量であるため、運搬や取り扱いが容易となり、展示等の作業や高い所への取り付けも簡単に行うことができる。
【００２４】
また、前記基本シート材（１１）の表面には薄肉板状の合成樹脂材料からなる表面シート材（１２）が展着されるとともに、前記基本シート材（１１）の裏面にも同じく薄肉板状の合成樹脂材料からなる裏面シート材（１３）が展着されている。これら表面シート材（１２）および裏面シート材（１３）は、いずれも基本シート材（１１）と同大同形に形成されており、全面に亘って糊剤が塗布されてることにより基本シート材（１１）に展着されている。
【００２５】
この合成樹脂材料の種類については特に限定されるものではないが、ある程度の剛性を有するもの、例えばポリプロピレンであるのが好ましい。これによれば製造過程において装飾パネル（１）を囲繞枠（２）とピース片（３）に分断した場合、亀裂やしわが生じることを防止できる。
【００２６】
また、装飾パネル（１）は、囲繞枠（２）と該囲繞枠（２）内における複数のピース片（３）とに分断されており、各ピース片（３）が囲繞枠（２）において平面方向に互いに嵌脱自在に嵌め込まれるようになっている。
【００２７】
この囲繞枠（２）は幅１５ｍｍ程の矩形枠となされている。また、各ピース片（３）は様々な形状に形成されており、各ピース片（３）同士が所定の位置に嵌め込まれることにより装飾パネル（１）が完成するようになっている。これら各ピース片（３）の形状については特に限定されるものではなく、例えば難易度を向上するために各ピース片（３）を同一形状にするなどしてもよい。
【００２８】
而して、各ピース片（３）が囲繞枠（２）内において平面方向に互いに嵌脱自在に嵌め込まれて組み立てられると、囲繞枠（２）および各ピース片（３）同士の基本シート材（１１）の間において発泡合成樹脂材料による弾性力と摩擦力が生じるため、外力の補助なしで各ピース片（３）の嵌め込み状態を保持することができる。
【００２９】
このため装飾パネル（１）を略垂直状態に立設した場合であってもピース片（３）が抜け落ちることが防止でき、壁掛けや置物などの室内アートに容易に適用することが可能となる。
【００３０】
また、囲繞枠（２）から各ピース片（３）を前方又は後方に突出させるようにして押し出せば、装飾パネル（１）を簡単に分解することができ、装飾パネル（１）を何度でも組み立て分解することができる。
【００３１】
また、囲繞枠（２）の上枠部分および左枠部分には複数の凸部（２ａ）が等間隔に並んで形成され、囲繞枠（２）の下枠部分および右枠部分には複数の凹部（２ｂ）が等間隔に並んで形成されている。そして、囲繞枠（２）に接するピース片（３）にも対応する凹部（３ｂ）または凸部（３ａ）が形成されている。これにより囲繞枠（２）に接して所定のピース片（３）を配置しながら囲繞枠（２）の凸部（２ａ）および凹部（２ｂ）とピース片（３）の凹部（３ｂ）および凸部（３ａ）が嵌め込むことにより、囲繞枠（２）とそれに接するピース片（３）の結合力を強くすることができる。
【００３２】
また、各ピース片（３）の表裏側には薄肉板状の合成樹脂材料からなる表面シート材（１２）および裏面シート材（１３）が設けられているため、表裏面がフラットな状態となり外観の意匠性が向上するとともに、装飾の印刷を行い易くなる。
【００３３】
特に本実施形態では、前記表面シート材（１２）および裏面シート材（１３）の両面に装飾が印刷されている。これにより装飾パネル（１）の表裏面に装飾が印刷されることになるため、適宜、装飾パネル（１）を表裏に反転することにより閲覧に供する装飾を変更することができる。
【００３４】
図４は、本装飾パネル（１）を置物に適用した状態を示す斜視図である。
【００３５】
この置物には装飾パネル（１）を立てるための２個のスタンド脚部（４）が設けられている。このスタンド脚部（４）は、装飾パネル（１）と同じ材質から形成されるとともに、図４に示すように、机面等に設置される甲板部（４１）と、該甲板部（４１）から立設される差込部（４２）とからなり、該差込部（４２）の差込孔（４２ａ）に装飾パネル（１）の囲繞枠（２）の下部枠部分が差し込まれるようになっている。
【００３６】
これによれば装飾パネル（１）をスタンド脚部（４）に差し込むことにより立設することができるとともに、スタンド脚部（４）から引き抜くだけ簡単に取り外すことができる。このため装飾パネル（１）を組み立てて置物として飾ったあと、装飾パネル（１）を分解して再び組み立てるという一連の作業が容易となる。さらに装飾パネル（１）の形状や装飾を何らかの動物等にした場合、スタンド脚部（４）を当該動物等の脚部のように擬似的に見せることができ装飾効果が増大する。
【００３７】
なお、（５）は装飾パネル（１）を壁等に掛けるときに使用する引掛具であり、装飾パネル（１）の囲繞枠（２）の上枠中央部に形成された凹部（２ｃ）に嵌脱自在に嵌め込まれ使用される。
【符号の説明】
【００３８】
１・・・装飾パネル
１１・・・基本シート材
１２・・・表面シート材
１３・・・裏面シート材
２・・・囲繞枠
３・・・ピース片
４・・・スタンド脚部
４１・・・甲板部
４２・・・差込部
【図１】
2010228427.tif 000003
【図２】
2010228427.tif 000004
【図３】
2010228427.tif 000005
【図４】
2010228427.tif 000006
【図５】
2010228427.tif 000007